(57)【要約】【課題】扉枠側規制部材２６の係合面３０および中枠側規制部材２１の係合面２４間に蛇行状のピアノ線の挿入経路を確保すること。【解決手段】扉枠側規制部材２６の係合面３０が中枠側規制部材２１の係合面２４に左から係合した状態では扉枠１３が中枠１９に対して右へ移動することが規制されるので、扉枠１３を右へバールＢで押すことができなくなる。従って、係合面２４および３０間の係合を解除できなくなるので、係合面２４および３０間に蛇行状のピアノ線の挿入経路が確保される。【選択図】図４
2015142658.tif 000002
【特許請求の範囲】
【請求項１】
扉部材が軸を中心として回動することで開口部を開閉する構造を備えた遊技機において、
前記開口部に前記軸と同一側または反対側に位置して設けられ、前記軸と同一側から反対側へ突出する第１の係合部材と、
前記扉部材に前記第１の係合部材と同一側に位置して設けられ、前記軸と反対側から同一側へ突出すると共に前記扉部材が開放状態から閉鎖状態に回動することに応じて前記第１の係合部材の後方へ入り込むものであって、前記扉部材の閉鎖状態で前記第１の係合部材を後方および前記軸と同一側から覆う第２の係合部材を備えたことを特徴とする遊技機。
【発明の詳細な説明】
【技術分野】
【０００１】
本発明は不正行為が行われることを防止する機構を備えた遊技機に関する。
【背景技術】
【０００２】
図８の（ａ）は遊技機の従来構成である。筐体４１は遊技部品４２が収納されたものであり、前面が開口している。この筐体４１には扉部材４３が装着されており、扉部材４３は上下方向へ延びる軸ＣＬを中心に筐体４１の前面を前から覆う閉鎖状態および開放する開放状態間で回動可能にされている。この扉部材４３には左右方向へ延びる平板状の扉側係合部材４４が固定され、筐体４１には左右方向へ延びる平板状の筐体側係合部材４５が形成されている。この扉側係合部材４４は扉部材４３の閉鎖状態で筐体側係合部材４５の後方に位置するものであり、扉部材４３が不正に前へ動かされた場合には扉側係合部材４４が筐体側係合部材４５に後から係合することで扉部材４３の前への移動が規制される。しかも、扉部材４３の閉鎖状態で遊技部品４２を外部からピアノ線Ｐで操作する不正行為を行うには扉側係合部材４４および筐体側係合部材４５間の蛇行状の挿入経路を通して遊技部品４２にピアノ線Ｐを挿入する困難さが必要となる。
【先行技術文献】
【特許文献】
【０００３】
【特許文献１】特開２００８−１７７３３０５号公報
【発明の概要】
【発明が解決しようとする課題】
【０００４】
従来の遊技機の場合には、図８の（ｂ）に示すように、筐体４１および扉部材４３間の隙間にバールＢが挿入されることがある。このバールＢが手前側（矢印方向）へ抉られた場合には扉部材４３がバールＢで押されることに応じて軸ＣＬと同一側から反対側である右へ変位し、図８の（ｃ）に示すように、扉側係合部材４４が筐体側係合部材４５の前に移動することがある。この扉側係合部材４４が筐体側係合部材４５の前に移動した場合には、図８の（ｄ）に示すように、両者の隙間をバールＢで押し拡げることに応じて直線状をなすピアノ線Ｐの挿入経路が形成されてしまう。
【課題を解決するための手段】
【０００５】
本発明の遊技機は扉部材が軸を中心として回動することで開口部を開閉する構造を有するものにおいて、次の［１］第１の係合部材および［２］第２の係合部材を備えたものである。
［１］第１の係合部材は開口部に軸と同一側または反対側に位置して設けられたものであり、軸と同一側から反対側へ突出している。図３の中枠１９は前面が開口するものであり、中枠１９の前面は開口部に相当するものである。図１の扉枠１３は扉部材に相当し、図２の符号１０および符号１２は軸に相当し、図４の中枠側規制部材２１は第１の係合部材に相当する。
［２］第２の係合部材は扉部材に第１の係合部材と同一側に位置して設けられたものである。この第２の係合部材は軸と反対側から同一側へ突出するものであり、扉部材が開放状態から閉鎖状態に回動することに応じて第１の係合部材の後方へ入り込む。この第２の係合部材は扉部材の閉鎖状態で第１の係合部材を後方および軸と同一側から覆う。図４の扉枠側規制部材２６の係合部２９は第２の係合部材に相当する。
【発明の効果】
【０００６】
扉部材が開口部に対して前へ移動することに加えて軸と同一側から反対側へ移動することを規制することができる。
【図面の簡単な説明】
【０００７】
【図１】パチンコ遊技機の外観を示す図
【図２】パチンコ遊技機の外観を扉枠の除去状態で示す図
【図３】図１のＸ線に沿う断面図
【図４】中枠側規制部材および扉枠側規制部材を拡大して示す図
【図５】扉枠がバールで抉られた状態を示す図４相当図
【図６】中枠側規制部材の逃し部が弾性変形した状態を示す図４相当図
【図７】変形例を示す図４相当図
【図８】従来技術を示す図
【発明を実施するための形態】
【実施例１】
【０００８】
パチンコホールの台島には、図１に示すように、外枠１が設置されている。この外枠１は複数の木板を接合することから前面および後面が開口する縦長な四角筒状に構成されたものであり、外枠１の左端部には２つのヒンジ受け２が固定されている。これら２つのヒンジ受け２のそれぞれは外枠１の前端面に対して前へ突出する水平な金属板からなるものであり、一方のヒンジ受け２は外枠１の上端部に配置され、他方のヒンジ受け２は外枠１の下端部に配置されている。
【０００９】
２つのヒンジ受け２のそれぞれには、図１に示すように、ヒンジ３が金属製の軸４を介して回転可能に装着されている。これら２つのヒンジ３のそれぞれは水平な金属板からなるものであり、２本の軸４のそれぞれは上下方向へ延びる共通の軸心線を有している。これら２つのヒンジ３は、図３に示すように、金属製の金属枠５に固定されたものである。この金属枠５は前面および後面が開口する縦長な四角筒状をなすものであり、２本の軸４を中心に外枠１内に収納された閉鎖状態および外枠１内から前に突出した開放状態間で回転可能にされている。
【００１０】
金属枠５の前端部には、図３に示すように、ガード部６が形成されている。このガード部６は金属枠５に比べて輪郭形状が大きな四角枠状をなすものであり、左壁部と右壁部と上壁部と下壁部を有している。このガード部６は金属枠５の閉鎖状態で外枠１の前端面から前へ突出するものであり、金属枠５の基材となる金属板に加工を施すことで金属枠５に一体化されている。
【００１１】
金属枠５のガード部６には、図１に示すように、下端部に位置して下皿板７が固定されている。この下皿板７はガード部６の前面を前から塞ぐものであり、ガード部６の前端面に対して前へ突出している。この下皿板７は下皿８および発射ハンドル９を支持するものであり、下皿板７には、図２に示すように、金属製の軸１０が固定されている。この軸１０は上下方向へ延びる軸心線ＣＬ（図３参照）を有するものであり、金属枠５のガード部６には軸１０の上側に位置して水平な金属製の軸受け１１が固定されている。
【００１２】
金属枠５の軸受け１１には、図２に示すように、金属製の軸１２が回転可能に挿入されている。この軸１２は下皿板７の軸１０と共通の軸心線ＣＬを有するものであり、軸１２には、図１に示すように、扉枠１３が固定されている。この扉枠１３は合成樹脂を材料とするものであり、開口部を有する縦長な四角形状をなしている。この扉枠１３は下皿板７の上側に配置されたものであり、金属枠５のガード部６の前端面に対して前へ突出している。この扉枠１３は下皿板７の軸１０が回転可能に挿入されたものであり、金属枠５に対して平行な閉鎖状態および金属枠５に対して前から略直交する開放状態間で軸１０および軸１２を中心に回転可能にされている。
【００１３】
扉枠１３の後面には、図３に示すように、金属製のフレーム１４が固定されている。このフレーム１４は窓枠１３を機械的に補強するものであり、扉枠１３の外周部に沿う四角環状をなしている。このフレーム１４は左板部と右板部と上板部と下板部を有するものであり、フレーム１４の内周部には支持部１５が形成されている。この支持部１５は前面および後面が開口する筒状をなすものであり、支持部１５の内周面にはガラスユニット１６が固定されている。このガラスユニット１６は前後方向に隙間を介して対向する透明な前ガラスおよび透明な後ガラスを有するものであり、扉枠１３の開口部を後から塞いでいる。この扉枠１３の下端部には、図１に示すように、上皿１７が固定されている。この上皿１７は遊技球を貯留するものであり、発射ハンドル９が操作された状態では上皿１７内の遊技球が上皿１７内から弾き出される。
【００１４】
金属枠５には、図３に示すように、合成樹脂製の樹脂枠１８が固定されている。この樹脂枠１８は前面および後面が開口する四角筒状をなすものであり、金属枠５の内部に配置されている。この樹脂枠１８は金属枠５と共に中枠１９を構成するものであり、金属枠５と共に閉鎖状態および開放状態間で２本の軸４を中心に外枠１に対して回転可能にされている。
【００１５】
樹脂枠１８の内周面には、図２に示すように、垂直な遊技板２０が固定されている。この遊技板２０の前面は上皿１７内から発射された遊技球が転動するものであり、扉枠１３の閉鎖状態では遊技板２０が前から扉枠１３のガラスユニット１６で視認可能に覆われ、扉枠１３の開放状態では遊技板２０が開放される。この遊技板２０の前面には複数の障害釘および複数の入賞口が固定されており、遊技球が遊技板２０の入賞口に入賞した場合には上皿１７内に一定個数の遊技球が賞品として払出され、上皿１７内から遊技球が溢れた場合には当該遊技球が下皿８内に貯留される。
【００１６】
中枠１９にはロック機構が装着されている。このロック機構は窓枠１３および中枠１９のそれぞれを閉鎖状態にロックするものであり、鍵を有している。この鍵はパチンコホールの従業員が携帯するものであり、窓枠１３の前側からロック機構に対して抜差し可能に挿入される。この鍵はロック機構に挿入された状態で時計回り方向および反時計回り方向へ回転操作されるものであり、窓枠１３の閉鎖状態で鍵が時計回り方向および反時計回り方向の一方へ回転操作された場合には窓枠１３がロック解除され、中枠１９の閉鎖状態で鍵が他方へ回転操作された場合には中枠１９がロック解除される。これら窓枠１３および中枠１９のそれぞれはロック解除されることに応じて閉鎖状態から開放状態に操作可能となるものであり、開放状態から閉鎖状態に操作されることに応じてロック機構によって再びロックされる。
【００１７】
金属枠５のガード部６には、図４に示すように、中枠側規制部材２１が形成されている。この中枠側規制部材２１はガード部６の左壁部の前端面から右に向けて突出するものであり、窓枠１３の軸１０および軸１２の側に位置している。この中枠側規制部材２１は係合部２２および逃し部２３を有している。これら係合部２２および逃し部２３のそれぞれは金属枠５の基材となる金属板に加工を施すことで金属枠５のガード部６に一体化されたものであり、ガード部６の左壁部の上端から下端までの全域に渡って配置されている。
【００１８】
中枠側規制部材２１の係合部２２は、図４に示すように、右から左に向けて前へ傾斜する平板状をなすものであり、係合部２２の後面には係合部２２と同一方向へ傾斜する係合面２４が形成されている。この中枠側規制部材２１の逃し部２３は右から左に向けて前後方向へ傾斜することなく延びる平板状をなすものであり、係合部２２に対して屈曲している。この逃し部２３の後面には逃し部２３と同一の真直ぐな逃し面２５が形成されており、逃し面２５は係合部２２の係合面２４に対して交差している。
【００１９】
扉枠１３のフレーム１４には、図４に示すように、左板部に位置して扉枠側規制部材２６が固定されている。この扉枠側規制部材２６は金属板からなるものであり、フレーム１４の左板部の上端から下端までの全域に渡って配置されている。この扉枠側規制部材２６は接合部２７とガード部２８と係合部２９を有している。接合部２７は右から左に向けて前後方向へ傾斜することなく延びる平板状をなすものであり、扉枠側規制部材２６は接合部２７をフレーム１４に接合することで扉枠１３に固定されている。ガード部２８は接合部２７の左端から後へ突出するものであり、前から後に向けて左右方向へ傾斜することなく延びる平板状をなしている。
【００２０】
扉枠側規制部材２６の係合部２９は、図４に示すように、ガード部２８の後端から左へ突出するものである。この係合部２９は右から左に向けて前へ傾斜する平板状をなすものであり、係合部２９の前面には係合部２９と同一方向へ傾斜する平坦な係合面３０が形成されている。この係合面３０は扉枠１３の閉鎖状態で中枠側規制部材２１の係合面２４および逃し面２５の双方に後および左のそれぞれから隙間を介して対向するものであり、後および左のそれぞれから重ねられている。
【００２１】
図４の一点鎖線Ｌ１は扉枠側規制部材２６の係合面３０の左端の軸１０および軸１２を中心とする回転軌跡であり、二点鎖線Ｌ２は中枠側規制部材２１の係合面２４を右に向けて延長した仮想線である。この係合面２４の仮想線Ｌ２は係合面３０の回転軌跡Ｌ１に対して交差するものであり、中枠側規制部材２１の逃し面２５は係合面３０の回転軌跡Ｌ１を前側に逃げるように係合面２４の仮想線Ｌ２に対して傾斜している。即ち、中枠側規制部材２１の逃し面２５は扉枠１３が閉鎖状態および開放状態間で回転操作される場合に扉枠側規制部材２６を逃げるものである。
【００２２】
中枠側規制部材２１の係合部２２および逃し部２３のそれぞれは、図４に示すように、扉枠１３の閉鎖状態で扉枠１３およびフレーム１４の双方から離間するものである。この隙間は扉枠１３が軸１０および軸１２を中心に閉鎖状態および開放状態間で回転操作されることを許容するものであり、当該隙間には左側からバールＢが挿入されることがある。このバールＢは窓枠１３の閉鎖状態で前側から違法行為者が手で挿入するものであり、バールＢの違法な挿入行為はバールＢの先端が扉枠側規制部材２６のガード部２８に接触することで停止する。
【００２３】
図５は違法行為者がバールＢを隙間に挿入したまま手前側（図４の矢印参照）へ引寄せるように操作した場合（抉じた場合）の扉枠１３の挙動である。この場合にはバールＢの先端が扉枠側規制部材２６のガード部２８に接触した状態から中枠側規制部材２１の逃し部２３の先端に接触した状態となり、バールＢから扉枠１３のＦ点に押圧力が作用する。この扉枠１３にバールＢから押圧力が作用した場合には軸１０および軸１２が弾性変形または塑性変形することに応じて扉枠１３が中枠１９に対して右へ移動する。
【００２４】
扉枠側規制部材２６の係合面３０は、図５に示すように、扉枠１３が中枠１９に対して右へ移動した場合に中枠側規制部材２１の係合面２４に左から係合するものであり、扉枠側規制部材２６の係合面３０が中枠側規制部材２１の係合面２４に係合した場合には両者の係合力で扉枠１３の右への移動が規制される。このため、扉枠側規制部材２６の係合部２９の左端が中枠側規制部材２１の逃し部２３の右端を右に通り越すまで扉枠１３を右へ動かすことができなくなるので、扉枠側規制部材２６の係合面３０の中枠側規制部材２１の係合面２４に対する係合を解除することが不能となる。従って、扉枠側規制部材２６の係合面３０および中枠側規制部材２１の係合面２４間に蛇行状をなすピアノ線の挿入経路が確保されままとなるので、ピアノ線を扉枠側規制部材２６の係合面３０および中枠側規制部材２１の係合面２４間から遊技板２０の入賞口内に挿入することで遊技球を獲得する不正行為が防止される。
【００２５】
中枠側規制部材２１の逃し面２５は、図５に示すように、扉枠１３の移動規制状態で扉枠側規制部材２６の係合面３０に対して離間するものである。この扉枠１３の移動規制状態とは扉枠側規制部材２６の係合面３０が中枠側規制部材２１の係合面２４に左から係合した状態であり、扉枠１３の移動規制状態でバールＢが更に抉られた場合にはバールＢから中枠側規制部材２１の逃し部２３に過大な力が作用する。この中枠側規制部材２１の逃し部２３に過大な力が作用した場合には、図６に示すように、逃し部２３が右から左に向けて前へ傾斜する傾斜状態に弾性変形する。
【００２６】
中枠側規制部材２１の逃し面２５は、図６に示すように、逃し部２３が傾斜状態に弾性変形することに応じて扉枠側規制部材２６の係合面３０に接触するものである。この中枠側規制部材２１の逃し面２５が扉枠側規制部材２６の係合面３０に接触した状態では接触していない状態に比べて扉枠１３の右への移動を規制する規制力が大きくなるので、窓枠１３をバールＢで抉ようとする不正行為に好適に対応することができる。この中枠側規制部材２１の逃し部２３は過大な力が除去された場合に右から左に向けて真直ぐな自然状態に弾性復帰するものであり、違法行為者が窓枠１３をバールＢで抉る違法行為を諦めた場合には窓枠１３が閉鎖状態および開放状態間で回転可能な状態に復帰する。
【００２７】
樹脂枠１８には、図４に示すように、左端部に位置して支持部３１が形成されている。この支持部３１は樹脂枠１８の前端面から左に向けて延びるものであり、扉枠１３の上端から下端に渡る全域に形成されている。この支持部３１にはガード部材３２が固定されている。このガード部材３２は扉枠１３の閉鎖状態で樹脂枠１８およびフレーム１４の支持部１５間の隙間を扉枠１３の上端から下端に渡る全域で狭めるものであり、ピアノ線が中枠側規制部材２１の係合面２４および扉枠側規制部材２６の係合面３０間を通して想定外に挿入された場合に遊技板２０に到達することを困難化する。
【００２８】
上記実施例１によれば次の効果を奏する。
扉枠１３の閉鎖状態で扉枠１３がバールＢで押された合には扉枠側規制部材２６の傾斜状の係合面３０が中枠側規制部材２１の傾斜状の係合面２４に係合するので、扉枠１３が中枠１９に対して前へ移動することに加えて左から右へ移動することも規制される。従って、扉枠１３を左から右へ不法に動かすことに応じて扉枠側規制部材２６の係合部２９を中枠側規制部材２１の前に移すことができなくなるので、扉枠側規制部材２６の係合部２９および中枠側規制部材２１間に蛇行状のピアノ線の挿入経路が確保される。しかも、中枠側規制部材２１の逃し部２３が扉枠側規制部材２６の回転軌跡Ｌ１を前に逃げているので、中枠側規制部材２１の係合面２４および扉枠側規制部材２６の係合面３０に影響されることなく扉枠１３を閉鎖状態および開放状態間で回転操作することができる。
【００２９】
上記実施例１においては、扉枠１３がバールＢで抉られていない扉枠１３の閉鎖状態で扉側規制部材２６の係合面３０を中枠側規制部材２１の係合面２４に接触させても良い。
上記実施例１においては、扉枠１３の移動規制状態でバールＢから中枠側規制部材２１の逃し部２３に過大な力が加えられた場合に中枠側規制部材２１の逃し部２３を塑性変形させても良い。
【００３０】
上記実施例１においては、中枠側規制部材２１に換えて扉枠側規制部材２６に逃し面を有する逃げ部を設けても良い。
上記実施例１においては、中枠側規制部材２１および扉枠側規制部材２６の双方に逃し面を有する逃げ部を設けても良い。
【００３１】
上記実施例１においては、金属枠５のガード部６の右壁部に左から右へ延びる中枠側規制部材２１を形成し、扉枠１３のフレーム１４の右板部に右から左へ延びる係合部２９を有する窓枠側規制部材２６を固定しても良い。この場合には中枠側規制部材２１に後へ傾斜する係合面２４を設け、窓枠側規制部材２６の係合部２９に前へ傾斜する係合面３０を設けると良い。
【００３２】
上記実施例１においては、中枠側規制部材２１が扉枠側規制部材２６の係合面３０の回転軌跡Ｌ１を前へ逃げるように中枠側規制部材２１の左右方向の長さ寸法を短縮することで中枠側規制部材２１に逃げ部を設けても良い。図７は中枠側規制部材２１の左右方向の長さ寸法を短縮することで中枠側規制部材２１に逃げ部３３を設けたものであり、逃げ部３３は扉枠側規制部材２６の回転軌跡Ｌ１に交差する仮想的な係合部および扉枠側規制部材２６の回転軌跡Ｌ１を前へ逃げる係合部２２間の差に相当する空間部を称する。
【００３３】
上記実施例１においては、扉枠側規制部材２６の回転軌跡Ｌ１が中枠側規制部材２１の仮想的な係合部（図７参照）に対して後へずれるように扉枠側規制部材２６の左右方向の長さ寸法を短縮することで扉枠側規制部材２６に空間状の逃げ部を設けても良い。
【００３４】
上記実施例１においては、中枠側規制部材２１および扉枠側規制部材２６の双方に空間状の逃げ部を設けても良い。
上記実施例１においては、扉枠１３を外枠１に中枠１９を介することなく上下方向へ延びる軸を中心に回転可能に装着しても良い。この場合には外枠１および中枠１９が筐体に相当する。
【００３５】
上記実施例１においては、外枠１の前端面を中枠１９の前端面に対して前に突出させ、外枠１の前端面に筐体側係合部材を設けても良い。この場合には外枠１および中枠１９が筐体に相当する。
【００３６】
上記実施例１においては、本発明をスロットマシンに適用しても良く、要は扉部材を開放状態および閉鎖状態間で回転操作することに応じて遊技機本体の前面を開閉する遊技機に適用すれば良い。
【符号の説明】
【００３７】
１０は軸、１２は軸、１３は扉枠（扉部材）、１９は中枠（筐体）、２０は遊技板（遊技部品）、２１は中枠側規制部材（第１の係合部材）、２９は係合部（第２の係合部材）である。
【図１】
2015142658.tif 000003
【図２】
2015142658.tif 000004
【図３】
2015142658.tif 000005
【図４】
2015142658.tif 000006
【図５】
2015142658.tif 000007
【図６】
2015142658.tif 000008
【図７】
2015142658.tif 000009
【図８】
2015142658.tif 000010